【事件の表示】
　特願２０１６−　　７７１４「電極パターンの形成方法および電子部品の製造方法」拒絶査定不服審判事件〔平成２９年　７月２７日出願公開、特開２０１７−１３０２９８〕について、次のとおり審決する。
【結　論】
　本件審判の請求は、成り立たない。
【理　由】
第１　手続の経緯
　本願は、平成２８年１月１９日に出願したものであって、平成３０年６月２１日付け拒絶理由通知に対して同年８月２４日付けで手続補正がなされたが、同年８月３１日付けで拒絶査定がなされた。これに対し、同年１１月２６日付けで拒絶査定不服審判が請求されるとともに手続補正がなされたものである。
第２　平成３０年１１月２６日付けの手続補正についての補正却下の決定
［補正却下の決定の結論］ 
　平成３０年１１月２６日付けの手続補正を却下する。 
［理由］ 
１．本件補正について
　平成３０年１１月２６日付けの手続補正（以下「本件補正」という。）は、特許請求の範囲及び明細書についてするもので、特許請求の範囲については、
　本件補正前に、
「　　【請求項１】
　互いに接続された第一導体部および第二導体部を含む電極パターンを、インクジェット工法によりワークに形成する方法であって、
　前記ワークが有する同一面内には、前記第一導体部の少なくとも一部に対応する第一エリア、および、前記第二導体部の少なくとも一部に対応する第二エリアが定義されており、
　前記第一導体部および前記第二導体部を形成するために、少なくとも、前記第一および第二エリアの各々についての二次元形状および解像度を含む前記電極パターンのデータに従って、前記第一エリアおよび前記第二エリアに向けて導電性インク滴を吐出し、
　前記第一エリアおよび前記第二エリアにおける解像度は互いに異なること、
　を特徴とする方法。
　　【請求項２】
　互いに接続された第一導体部および第二導体部を含む電極パターンを、インクジェット工法によりワークに形成する方法であって、
　前記ワークが有する同一面内には、前記第一導体部の少なくとも一部に対応する第一エリア、および、前記第二導体部の少なくとも一部に対応する第二エリアが定義されており、
　前記第一導体部および前記第二導体部を形成するために、前記第一エリアおよび前記第二エリアに向けて導電性インク滴を吐出し、
　前記第一エリアおよび前記第二エリアにおける導電性インク滴の重ね塗り回数は互いに異なり、
　前記第一導体部が前記電極パターンのベタ部分で、前記第二導体部が前記電極パターンのライン部分である場合、前記第二エリアの重ね塗り回数は、前記第一エリアの重ね塗り回数よりも多いこと、
　を特徴とする方法。
　　【請求項３】
　前記第一導体部が前記電極パターンのベタ部分で、前記第二導体部が前記電極パターンのライン部分である場合、前記第二エリアの解像度は、前記第一エリアの解像度よりも大きいこと、
　を特徴とする請求項１に記載の方法。
　　【請求項４】
　前記第一エリアの解像度は、前記第二エリアの解像度よりも大きいこと、
　を特徴とする請求項２に記載の方法。
　　【請求項５】
　前記第二エリアに向けて導電性インク滴を吐出する重ね塗り回の後に、前記第一エリアに向けて導電性インク滴を吐出すること、
　を特徴とする請求項２または４に記載の方法。
　　【請求項６】
　前記第一エリアおよび第二エリアの境界近傍に第三エリアが定義される場合には、
　前記第一エリアおよび前記第二エリアに向けて導電性インク滴を吐出する重ね塗り回の後に、前記第三エリアに向けて導電性インク滴を吐出すること、
　を特徴とする請求項２〜５のいずれかに記載の方法。
　　【請求項７】
　前記第三エリアには、前記第二エリアから前記第一エリアに向かって段階的に小さくなる解像度または重ね塗り回数で導電性インク滴を吐出すること、
　を特徴とする請求項６に記載の方法。
　　【請求項８】
　前記第三エリアの幅は、前記第二エリアの幅よりも小さく定義されること、
　を特徴とする請求項６に記載の方法。
　　【請求項９】
　請求項１〜８のいずれかに記載の方法で電極パターンを形成した複数のワークを積層し焼成する、電子部品の製造方法。
　　【請求項１０】
　請求項１または２に記載の方法で電極パターンを形成した複数のワークを、所定の積層方向に積層する電子部品の製造方法であって、
　前記複数のワークに形成すべき第一導体部のそれぞれは、前記積層方向からの平面視で他の電極パターンと重なり合っており、
　前記複数のワークに形成すべき第二導体部のそれぞれは、前記積層方向からの平面視で、他の電極パターンと重なり合っておらず、
　前記第一エリアの解像度または重ね塗り回数は、前記第二エリアの解像度または重ね塗り回数よりも小さいこと、
　を特徴とする方法。
　　【請求項１１】
　請求項１に記載の方法で電極パターンを形成した複数のワークを、所定の積層方向に積層する電子部品の製造方法であって、
　前記複数のワークに形成すべき第一導体部のそれぞれは、相対的に厚くなると想定される周縁部であり、
　前記複数のワークに形成すべき第二導体部のそれぞれは、前記周縁部の内側部分であり、
　前記第一エリアの解像度は、前記第二エリアの解像度よりも小さいこと、
　を特徴とする方法。
　　【請求項１２】
　互いに接続された第一導体部および第二導体部を含む電極パターンを、インクジェット工法によりワークに形成する電極パターン形成工程を含む、電子部品の製造方法であって、
　前記電極パターン形成工程では、
　前記ワークが有する同一面内には、前記第一導体部の少なくとも一部に対応する第一エリア、および、前記第二導体部の少なくとも一部に対応する第二エリアが定義されており、
　前記第一導体部および前記第二導体部を形成するために、前記第一エリアおよび前記第二エリアに向けて導電性インク滴を吐出し、
　前記第一エリアおよび前記第二エリアにおける導電性インク滴の重ね塗り回数は互いに異なり、
　前記電子部品の製造方法では、
　複数の前記ワークを、所定の積層方向に積層し、
　前記複数のワークに形成すべき第一導体部のそれぞれは、前記積層方向からの平面視で他の電極パターンと重なり合っており、
　前記複数のワークに形成すべき第二導体部のそれぞれは、前記積層方向からの平面視で、他の電極パターンと重なり合っておらず、
　前記第一エリアの重ね塗り回数は、前記第二エリアの重ね塗り回数よりも小さいこと、
　を特徴とする方法。
　　【請求項１３】
　互いに接続された第一導体部および第二導体部を含む電極パターンを、インクジェット工法によりワークに形成する電極パターン形成工程を含む、電子部品の製造方法であって、
　前記電極パターン形成工程では、
　前記ワークが有する同一面内には、前記第一導体部の少なくとも一部に対応する第一エリア、および、前記第二導体部の少なくとも一部に対応する第二エリアが定義されており、
　前記第一導体部および前記第二導体部を形成するために、前記第一エリアおよび前記第二エリアに向けて導電性インク滴を吐出し、
　前記第一エリアおよび前記第二エリアにおける導電性インク滴の重ね塗り回数は互いに異なり、
　前記電子部品の製造方法では、
　複数の前記ワークを、所定の積層方向に積層し、
　前記複数のワークに形成すべき第一導体部のそれぞれは、相対的に厚くなると想定される周縁部であり、
　前記複数のワークに形成すべき第二導体部のそれぞれは、前記周縁部の内側部分であり、
　前記第一エリアの重ね塗り回数は、前記第二エリアの重ね塗り回数よりも小さいこと、
　を特徴とする方法。」とあったところを、
　本件補正により、 
「　　【請求項１】
　互いに接続された第一導体部および第二導体部を含む電極パターンを、インクジェット工法によりワークに形成する方法であって、
　前記ワークが有する同一面内には、前記第一導体部の少なくとも一部に対応する第一エリア、および、前記第二導体部の少なくとも一部に対応する第二エリアが定義されており、
　前記第一導体部および前記第二導体部を形成するために、少なくとも、前記第一および第二エリアの各々についての二次元形状および解像度を含む前記電極パターンのデータに従って、前記第一エリアおよび前記第二エリアに向けて導電性インク滴を吐出し、
　前記第一エリアおよび前記第二エリアにおける解像度は互いに異な
り、
　
前記第一導体部が前記電極パターンのベタ部分で、前記第二導体部が前記電極パターンのライン部分である場合、前記第二エリアの導電性インクの厚さが前記第一エリアの導電性インクの厚さより厚くなるように、前記第二エリアの解像度を前記第一エリアの解像度よりも大きくすること
　を特徴とする方法。
　　【請求項２】
　互いに接続された第一導体部および第二導体部を含む電極パターンを、インクジェット工法によりワークに形成する方法であって、
　前記ワークが有する同一面内には、前記第一導体部の少なくとも一部に対応する第一エリア、および、前記第二導体部の少なくとも一部に対応する第二エリアが定義されており、
　前記第一導体部および前記第二導体部を形成するために、前記第一エリアおよび前記第二エリアに向けて導電性インク滴を吐出し、
　前記第一エリアおよび前記第二エリアにおける導電性インク滴の重ね塗り回数は互いに異なり、
　前記第一導体部が前記電極パターンのベタ部分で、前記第二導体部が前記電極パターンのライン部分である場合、
前記第二エリアの導電性インクの厚さが前記第一エリアの導電性インクの厚さより厚くなるように、
を
くする
　を特徴とする方法。
　　【請求項３】
　前記第一エリアの解像度は、前記第二エリアの解像度よりも大きいこと、
　を特徴とする請求項２に記載の方法。
　　【請求項４】
　前記第二エリアに向けて導電性インク滴を吐出する重ね塗り回の後に、前記第一エリアに向けて導電性インク滴を吐出すること、
　を特徴とする請求項２または
３
　　【請求項５】
　前記第一エリアおよび前記第二エリアの境界近傍に第三エリアが定義される場合には、
　前記第一エリアおよび前記第二エリアに向けて導電性インク滴を吐出する重ね塗り回の後に、前記第三エリアに向けて導電性インク滴を吐出すること、
　を特徴とする請求項２〜
４
　　【請求項６】
　前記第三エリアには、前記第二エリアから前記第一エリアに向かって段階的に小さくなる解像度または重ね塗り回数で導電性インク滴を吐出すること、
　を特徴とする請求項
５
　　【請求項７】
　前記第三エリアの幅は、前記第二エリアの幅よりも小さく定義されること、
　を特徴とする請求項
５
　　【請求項８】
　請求項１〜
７
　　【請求項９】
　請求項１または２に記載の方法で電極パターンを形成した複数のワークを、所定の積層方向に積層する電子部品の製造方法であって、
　前記複数のワークに形成すべき第一導体部のそれぞれは、前記積層方向からの平面視で他の電極パターンと重なり合っており、
　前記複数のワークに形成すべき第二導体部のそれぞれは、前記積層方向からの平面視で、他の電極パターンと重なり合っておらず、
　前記第一エリアの解像度または重ね塗り回数は、前記第二エリアの解像度または重ね塗り回数よりも小さいこと、
　を特徴とする方法。
　　【請求項１０】
　請求項１に記載の方法で電極パターンを形成した複数のワークを、所定の積層方向に積層する電子部品の製造方法であって、
　前記複数のワークに形成すべき第一導体部のそれぞれは、相対的に厚くなると想定される周縁部であり、
　前記複数のワークに形成すべき第二導体部のそれぞれは、前記周縁部の内側部分であり、
　前記第一エリアの解像度は、前記第二エリアの解像度よりも小さいこと、
　を特徴とする方法。
　　【請求項１１】
　互いに接続された第一導体部および第二導体部を含む電極パターンを、インクジェット工法によりワークに形成する電極パターン形成工程を含む、電子部品の製造方法であって、
　前記電極パターン形成工程では、
　前記ワークが有する同一面内には、前記第一導体部の少なくとも一部に対応する第一エリア、および、前記第二導体部の少なくとも一部に対応する第二エリアが定義されており、
　前記第一導体部および前記第二導体部を形成するために、前記第一エリアおよび前記第二エリアに向けて導電性インク滴を吐出し、
　前記第一エリアおよび前記第二エリアにおける導電性インク滴の重ね塗り回数は互いに異なり、
　前記電子部品の製造方法では、
　複数の前記ワークを、所定の積層方向に積層し、
　前記複数のワークに形成すべき第一導体部のそれぞれは、前記積層方向からの平面視で他の電極パターンと重なり合っており、
　前記複数のワークに形成すべき第二導体部のそれぞれは、前記積層方向からの平面視で、他の電極パターンと重なり合っておらず、
　
前記電極パターン形成工程において前記第一エリアの導電性インクの厚さが前記第二エリアの導電性インクの厚さより薄くなるように、
を
くする
　を特徴とする方法。
　　【請求項１２】
　互いに接続された第一導体部および第二導体部を含む電極パターンを、インクジェット工法によりワークに形成する電極パターン形成工程を含む、電子部品の製造方法であって、
　前記電極パターン形成工程では、
　前記ワークが有する同一面内には、前記第一導体部の少なくとも一部に対応する第一エリア、および、前記第二導体部の少なくとも一部に対応する第二エリアが定義されており、
　前記第一導体部および前記第二導体部を形成するために、前記第一エリアおよび前記第二エリアに向けて導電性インク滴を吐出し、
　前記第一エリアおよび前記第二エリアにおける導電性インク滴の重ね塗り回数は互いに異なり、
　前記電子部品の製造方法では、
　複数の前記ワークを、所定の積層方向に積層し、
　前記複数のワークに形成すべき第一導体部のそれぞれは、相対的に厚くなると想定される周縁部であり、
　前記複数のワークに形成すべき第二導体部のそれぞれは、前記周縁部の内側部分であり、
　
乾燥後において、前記第一エリアの導電性インクの厚さが前記第二エリアの導電性インクの厚さと同じになるように、
を
くする
　を特徴とする方法。」とするものである。なお、下線は補正箇所を示す。
　上記の補正は、
・本件補正前の請求項３を削除し、
・第二エリアの解像度について「前記第一導体部が前記電極パターンのベタ部分で、前記第二導体部が前記電極パターンのライン部分である場合、前記第二エリアの導電性インクの厚さが前記第一エリアの導電性インクの厚さより厚くなるように、前記第二エリアの解像度を前記第一エリアの解像度よりも大きくする」と限定し（本件補正後の請求項１）、
・第二エリアの重ね塗り回数について「前記第二エリアの導電性インクの厚さが前記第一エリアの導電性インクの厚さより厚くなるように、前記第二エリアの重ね塗り回数を、前記第一エリアの重ね塗り回数よりも多くする」と限定し（本件補正後の請求項２）、
・第一エリアの重ね塗り回数について「前記第一エリアの導電性インクの厚さが前記第二エリアの導電性インクの厚さより薄くなるように、前記第一エリアの重ね塗り回数を、前記第二エリアの重ね塗り回数よりも小さくする」と限定し（本件補正後の請求項１１）、
・第一エリアの重ね塗り回数について「乾燥後において、前記第一エリアの導電性インクの厚さが前記第二エリアの導電性インクの厚さと同じになるように、前記第一エリアの重ね塗り回数を、前記第二エリアの重ね塗り回数よりも小さくする」と限定し（本件補正後の請求項１２）、
・請求項の削除に伴い、項番を整理（本件補正後の請求項３ないし１０）
したものである。
　よって、本件補正は、特許法第１７条の２第５項第１号に掲げる請求項の削除及び同項第２号に掲げる特許請求の範囲の減縮を目的とするものに該当する。 
　そこで、特許請求の範囲の減縮を目的とする本件補正後の請求項１に係る発明（以下「本願補正発明」という。）が特許出願の際独立して特許を受けることができるものであるか（特許法第１７条の２第６項において準用する同法第１２６条第７項に規定する要件を満たすか）否かについて以下検討する。
２．引用文献
　原査定の拒絶の理由に引用された特開２０１１−１５５０８６号公報（以下「引用文献」という。）には、「導体パターン前駆体、導体パターン、導体パターン前駆体付基板、配線基板および配線基板の製造方法」に関して、図面と共に以下の事項が記載されている。なお、下線は当審で付与した。 
（１）「【００５５】
　図１、２に示すように、導体パターン前駆体付セラミックス成形体（本発明の導体パターン前駆体付基板）５０は、セラミックス成形体１５上に導体パターン前駆体１０が形成されている。
　
導体パターン前駆体１０は、パッド膜１１と配線膜１２とを有している。
　パッド膜１１は、略円盤状をなす膜であり、焼結されることにより、パッド２１を形成するものである。パッド２１は、トランジスタやコンタクト（ビア）３３等の電子部品と接続されるために設けられている。
・・・（中略）・・・
【００６４】
　
配線膜１２は、パッド膜１１と接するようにして設けられており
　このようなパッド膜１１と配線膜１２とにおいて、
配線膜１２の平均厚さよりも、前記パッド膜１１の平均厚さが小さい
・・・（中略）・・・
【００７３】
　積層基板３２は、積層されたセラミックス基板３１、３１間に、導体パターン前駆体１０により形成された導体パターン（回路、本発明の導体パターン）２０を備えている。
　
導体パターン２０は、
導体パターン前駆体１０を
焼結する
ことにより形成される
【００７４】
　図３に示すように、導体パターン２０は、パッド２１と、配線２２とを有しており、セラミックス基板３１上に配置されている。
　
導体パターン２０は、パッド２１と配線２２とを有している。パッド２１および配線２２は、それぞれ、焼結前のパッド膜１１および配線膜１２に対応する
　パッド２１は、パッド膜１１により形成されたものである。このため、導体パターン２０およびこのような導体パターン２０を備える配線基板３０は、断線が抑制されており、信頼性が高いものである。
【００７５】
　
導体パターン２０の比抵抗は、２０μΩｃｍ未満であることが好ましく、
上記比抵抗が２０μΩｃｍ以上になると、
電極等に用いることが困難となる。
　なお、
上記のような導体パターン２０は、
異形電極
等に適用することができる。
（２）「【００８３】
　［
導体パターン前駆体形成工程
　以上のようにして得られたセラミックス成形体１５の一方の側の表面に、導体パターン２０となる導体パターン前駆体１０を、コンタクト前駆体１６に連続した状態に形成する。すなわち、図５（ａ）に示すように
セラミックス成形体１５上に
導体パターン形成用インク
２００を
インクジェット
法により付与し、
前駆体１０を形成する。
・・・（中略）・・・
【００９７】
　
制御装置１９０は、インクジェット装置１００の各部位を制御する。
インク２００の吐出条件を制御したり、
インク２００の吐出位置を制御したりする。
　以上のようなインクジェット装置１００を用いることにより、
インク２００を、セラミックス成形体１５
上の所望する場所に所望の量
吐出し、
導体パターン前駆体１０を
形成する
（３）「【００９８】
　なお、形成した導体パターン前駆体１０について、さらに乾燥処理を行ってもよい。乾燥処理は、上記の液滴吐出時におけるセラミックス成形体１５の加熱温度と同様の条件で行うことができる。
　
導体パターン前駆体１０の厚さの調整は、インク２００の吐出条件を設定することにより行う
導体パターン前駆体１０の厚さが大きい部位を形成する場合には、当該部位の面積当たりのインク２００の
液滴数
を大きいものとし、
導体パターン前駆体１０の厚さが小さい部位を形成する場合には、当該部位の面積当たりのインク２００の
液滴数
を小さいものとすることで行う
【００９９】
　また、液滴吐出方法によりインク２００を付与してから、セラミックス成形体１５を加熱して水等の分散媒を蒸発させ、当該加熱後の導体パターン前駆体１０の上に再度インク２００を付与する、といった工程を繰り返し行うことで、厚膜の導体パターン前駆体１０を形成してもよい。このような場合、セラミックス成形体１５に一旦付与されたインク２００の粘度が上昇することから、インク２００がセラミックス成形体１５上に過度に濡れ広がることを防止し、導体パターン前駆体１０の厚さ、線幅等をより精度よく目的のものとすることができる。
・・・（中略）・・・
【０１０５】
［加熱工程］
　このようにして積層体１７を形成したら、例えば、ベルト炉などによって加熱処理する。これにより、各セラミックス成形体１５は焼結されることで、図３に示すようにセラミックス基板３１となり、また、
導体パターン前駆体１０は、
焼結して配線パターンや電極パターンからなる導体パターン（回路）２０となる。
（４）引用文献の図１及び２によると、パッド膜１１及び配線膜１２は、セラミックス成形体１５の同一面内に形成されるものである。また、パッド膜１１は、円盤状にすきまなく形成され、配線膜１２は、線状に形成されるものである。
・上記（１）によれば、導体パターン前駆体１０は、パッド膜１１と該パッド膜１１に接する配線膜１２とを有するものである。また、パッド膜１１の平均厚さは、配線膜１２の平均厚さよりも小さいものである。
・上記（２）によれば、セラミックス成形体１５上に導体パターン形成用インク２００をインクジェット法により付与して導体パターン前駆体１０を形成する工程は、制御装置１９０がインクジェット装置１００の導体パターン形成用インク２００の吐出条件及び吐出位置を制御して、導体パターン形成用インク２００をセラミックス成形体１５上の所望する場所に所望の量吐出するものである。
・上記（３）によれば、導体パターン前駆体１０の厚さの調整は、導体パターン形成用インク２００の吐出条件を設定することにより行われ、導体パターン前駆体１０の厚さが大きい部位を形成する場合には、当該部位の面積当たりの導体パターン形成用インク２００の液滴数を大きいものとし、導体パターン前駆体１０の厚さが小さい部位を形成する場合には、当該部位の面積当たりの導体パターン形成用インク２００の液滴数を小さいものとするものである。
・上記（４）によれば、パッド膜１１及び配線膜１２は、セラミックス成形体１５の同一面内に形成されるものである。また、パッド膜１１は、円盤状にすきまなく形成されるものであり、配線膜１２は、線状に形成されるものである。
　上記摘示事項及び図面を総合勘案すると、引用文献には次の発明（以下「引用発明」という。）が記載されている。 
「セラミックス成形体１５上に導体パターン形成用インク２００をインクジェット法により付与して、パッド膜１１と前記パッド膜１１に接する配線膜１２とを有する導体パターン前駆体１０を形成する工程であって、
　制御装置１９０がインクジェット装置１００の導体パターン形成用インク２００の吐出条件及び吐出位置を制御して、前記導体パターン形成用インク２００を前記セラミックス成形体１５上の所望する場所に所望の量吐出し、
　前記導体パターン前駆体１０の厚さの調整は、前記導体パターン形成用インク２００の前記吐出条件を設定することにより行われ、前記導体パターン前駆体１０の厚さが大きい部位を形成する場合には、当該部位の面積当たりの前記導体パターン形成用インク２００の液滴数を大きいものとし、前記導体パターン前駆体１０の厚さが小さい部位を形成する場合には、当該部位の面積当たりの前記導体パターン形成用インク２００の液滴数を小さいものとし、
　前記パッド膜１１は、円盤状にすきまなく形成され、前記配線膜１２は、線状に形成され、
　前記パッド膜１１及び前記配線膜１２は、前記セラミックス成形体１５の同一面内に形成され、
　前記パッド膜１１の平均厚さは、前記配線膜１２の平均厚さよりも小さい、
　工程。」
３．対比 
　そこで、本願補正発明と引用発明とを対比する。
（１）引用発明の「パッド膜１１」及び「配線膜１２」は、本願補正発明の「第一導体部」及び「第二導体部」にそれぞれ相当する。また、引用発明の「パッド膜１１」は、円盤状にすきまなく形成されるものであるから、本願補正発明の「ベタ部分」に相当する。そして、引用発明の「配線膜１２」は、線状に形成されるものであるから、本願補正発明の「ライン部分」に相当する。さらに、引用発明の「パッド膜１１と前記パッド膜１１に接する配線膜１２とを有する導体パターン前駆体１０」と本願補正発明の「電極パターン」とは、「互いに接続された第一導体部および第二導体部を含む導体パターン」である点で共通する。
　ただし、導体パターンについて、本願補正発明は「電極」パターンである旨特定するのに対し、引用発明はそのような特定がない点で相違している。
（２）引用発明の「セラミックス成形体１５」、「導体パターン形成用インク２００」及び「インクジェット法」は、本願補正発明の「ワーク」、「導電性インク滴」及び「インクジェット工法」にそれぞれ相当する。
（３）上記（１）及び（２）を踏まえると、引用発明の「セラミックス成形体１５上に導体パターン形成用インク２００をインクジェット法により付与して、パッド膜１１と前記パッド膜１１に接する配線膜１２とを有する導体パターン前駆体１０を形成する工程」は、本願補正発明の「互いに接続された第一導体部および第二導体部を含む導体パターンを、インクジェット工法によりワークに形成する方法」に相当する。
（４）引用発明の「制御装置１９０がインクジェット装置１００の導体パターン形成用インク２００の」「吐出位置を制御して、前記導体パターン形成用インク２００を前記セラミックス成形体１５上の所望する場所に」「吐出」して「前記パッド膜１１及び前記配線膜１２」を「前記セラミックス成形体１５の同一面内に形成」することは、セラミックス成形体１５の同一面内に、パッド膜１１に対応するエリア、及び配線膜１２に対応するエリアが定義されていると解されるから、本願補正発明の「前記ワークが有する同一面内には、前記第一導体部の少なくとも一部に対応する第一エリア、および、前記第二導体部の少なくとも一部に対応する第二エリアが定義されて」いることに相当する。また、パッド膜１１及び配線膜１２をセラミックス成形体１５の同一面内に形成するために、インクジェット装置１００は当然、各エリアについての二次元形状のデータに従って導体パターン形成用インク２００を吐出するものと認められるから、本願補正発明の「前記第一導体部および前記第二導体部を形成するために、少なくとも、前記第一および第二エリアの各々についての二次元形状」「を含む前記導体パターンのデータに従って、前記第一エリアおよび前記第二エリアに向けて導電性インク滴を吐出」することに相当する。
（５）引用発明の「面積当たりの前記導体パターン形成用インク２００の液滴数」は、本願補正発明の「解像度」に相当する。
（６）上記（１）及び（５）を踏まえると、引用発明の「制御装置１９０がインクジェット装置１００の導体パターン形成用インク２００の吐出条件」「を制御して、前記導体パターン形成用インク２００を前記セラミックス成形体１５上」「に所望の量吐出し、前記導体パターン前駆体１０の厚さの調整は、前記導体パターン形成用インク２００の前記吐出条件を設定することにより行われ、前記導体パターン前駆体１０の厚さが大きい部位を形成する場合には、当該部位の面積当たりの前記導体パターン形成用インク２００の液滴数を大きいものとし、前記導体パターン前駆体１０の厚さが小さい部位を形成する場合には、当該部位の面積当たりの前記導体パターン形成用インク２００の液滴数を小さいものとし」て「前記パッド膜１１の平均厚さ」を「前記配線膜１２の平均厚さよりも小さ」くすることは、配線膜１２の厚さがパッド膜１１の厚さより厚くなるように、配線膜１２のエリアの解像度をパッド膜１１のエリアの解像度よりも大きくするものと解されるから、本願補正発明の「前記第一エリアおよび前記第二エリアにおける解像度は互いに異なり、前記第一導体部が前記導体パターンのベタ部分で、前記第二導体部が前記導体パターンのライン部分である場合、前記第二エリアの導電性インクの厚さが前記第一エリアの導電性インクの厚さより厚くなるように、前記第二エリアの解像度を前記第一エリアの解像度よりも大きくすること」に相当する。また、インクジェット装置１００は当然、各エリアについての解像度のデータに従って導体パターン形成用インク２００を吐出するものと認められるから、本願補正発明の「前記第一および第二エリアの各々についての」「解像度を含む前記導体パターンのデータに従って、前記第一エリアおよび前記第二エリアに向けて導電性インク滴を吐出」することに相当する。
　そうすると、本願補正発明と引用発明とは、
「互いに接続された第一導体部および第二導体部を含む導体パターンを、インクジェット工法によりワークに形成する方法であって、
　前記ワークが有する同一面内には、前記第一導体部の少なくとも一部に対応する第一エリア、および、前記第二導体部の少なくとも一部に対応する第二エリアが定義されており、
　前記第一導体部および前記第二導体部を形成するために、少なくとも、前記第一および第二エリアの各々についての二次元形状および解像度を含む前記導体パターンのデータに従って、前記第一エリアおよび前記第二エリアに向けて導電性インク滴を吐出し、
　前記第一エリアおよび前記第二エリアにおける解像度は互いに異なり、
　前記第一導体部が前記導体パターンのベタ部分で、前記第二導体部が前記導体パターンのライン部分である場合、前記第二エリアの導電性インクの厚さが前記第一エリアの導電性インクの厚さより厚くなるように、前記第二エリアの解像度を前記第一エリアの解像度よりも大きくすること、
　を特徴とする方法。」の点で一致し、
以下の点で相違する。
＜相違点＞ 
　導体パターンについて、本願補正発明は「電極」パターンである旨特定するのに対し、引用発明はそのような特定がない点。
４．判断 
　上記相違点について検討する。 
　引用発明の導体パターン前駆体１０は、上記「２．（１）及び（３）」によれば、焼結することにより導体パターン２０が形成されるものであり、また、該導体パターン２０は、配線としてだけでなく電極にも適用することができるものである。
　したがって、引用発明の導体パターン前駆体１０から形成される導体パターン２０を「電極」パターンとして用いられるものとし、相違点に係る構成とすることは、当業者が容易になし得た事項である。
　この点について、審判請求人は、審判請求書にて「引用文献１および２のいずれにも、上記特徴Ａにより『ライン部分の導電性インクがベタ部分に多少吸い寄せられてもライン部分が極端に薄くなることを避ける』という本願発明１の技術的思想は、示唆すらされていません。」旨を主張している。ここで、引用文献１とは上記の引用文献である。
　しかしながら、引用発明は、配線膜１２の平均厚さがパッド膜１１の平均厚さよりも大きいので、当然、配線膜１２の導体パターン形成用インク２００が表面張力等によりパッド膜１１に多少吸い寄せられても、配線膜１２は極端に薄くならないものである。
　よって、引用文献には、配線膜１２の平均厚さがパッド膜１１の平均厚さよりも大きいことが記載されている以上、上記の技術的思想が示唆されているといえるから、請求人の上記主張は採用できない。
　したがって、本願補正発明は、引用発明から当業者が容易になし得たものである。
　そして、本願補正発明の作用効果も、引用文献から当業者が予測できる範囲のものである。
５．むすび 
　以上のとおり、本件補正の請求項１に係る発明は、特許法第２９条第２項の規定により、特許出願の際独立して特許を受けることができないものである。 
　したがって、本件補正は、特許法第１７条の２第６項において準用する同法第１２６条第７項の規定に違反するものであるから、同法第１５９条第１項で読み替えて準用する同法第５３条第１項の規定により却下すべきものである。 
第３　本願発明について 
 
１．本願発明 
　平成３０年１１月２６日付けの手続補正は上記のとおり却下されたので、本願の請求項１ないし１３に係る発明は、平成３０年８月２４日付けの手続補正により補正された特許請求の範囲の請求項１ないし１３に記載された事項により特定されたものであるところ、請求項１に係る発明（以下「本願発明」という。）は上記「第２［理由］１．」に本件補正前の請求項１として記載したとおりものである。
２．引用文献
　原査定の拒絶の理由に引用された引用文献の記載事項及び引用発明は、上記「第２［理由］２．」に記載したとおりである。
３．対比・判断
　本願発明は、上記「第２［理由］」で検討した本件補正発明から「前記第一導体部が前記電極パターンのベタ部分で、前記第二導体部が前記電極パターンのライン部分である場合、前記第二エリアの導電性インクの厚さが前記第一エリアの導電性インクの厚さより厚くなるように、前記第二エリアの解像度を前記第一エリアの解像度よりも大きくすること」という事項を削除したものである。
　そうすると、本願発明の発明特定事項を全て含み、さらに他の事項を付加したものに相当する本願補正発明が、上記「第２［理由］３．及び４．」に記載したとおり、引用発明から当業者が容易になし得たものであるから、本願発明も同様の理由により、引用発明から当業者が容易になし得たものである。
４．むすび 
　以上のとおり、本願の請求項１に係る発明は、特許法第２９条第２項の規定により特許を受けることができない。
　したがって、本願は、その余の請求項について論及するまでもなく拒絶すべきものである。 
　よって、結論のとおり審決する。